(57)【要約】【課題】  複数の記録媒体に画像データを記録する場合に、複数の記録媒体にそれぞれ対応する複数の記憶領域の使用状況をユーザが簡単に把握可能に表示する。【解決手段】  撮像部により撮影して得られた画像データを複数の記録媒体に記録する場合に、撮像部により撮影して得られた画像データを、複数の記録媒体に対応する複数の記憶領域にそれぞれ一時記憶する記憶手段と、記憶領域に一時記憶された画像データを、複数の記録媒体のうち、記憶領域に対応する記録媒体に記録するように制御する記録制御手段と、記憶領域の使用状況を示す情報を表示部に表示するように制御する表示制御手段と、を有し、表示制御手段は、複数の記憶領域のうちの１つの記憶領域についてのみ、使用状況を示す情報を表示するように制御することを特徴とする。【選択図】  図５
2020182185.tif 000002
【特許請求の範囲】
【請求項１】
撮像部により撮影して得られた画像データを複数の記録媒体に記録する場合に、前記撮像部により撮影して得られた画像データを、前記複数の記録媒体に対応する複数の記憶領域にそれぞれ一時記憶する記憶手段と、
前記記憶領域に一時記憶された画像データを、前記複数の記録媒体のうち、前記記憶領域に対応する記録媒体に記録するように制御する記録制御手段と、
記憶領域の使用状況を示す情報を表示部に表示するように制御する表示制御手段と、
を有し、
前記表示制御手段は、前記複数の記憶領域のうちの１つの記憶領域についてのみ、前記使用状況を示す情報を表示するように制御することを特徴とする撮像装置。
【請求項２】
前記表示制御手段は、前記複数の記憶領域のうち、記憶領域の使用量、記憶領域の使用率、又は、記憶領域に一時記憶している画像データの数、が最も大きい記憶領域について、前記使用状況を示す情報を表示するように制御することを特徴とする請求項１に記載の撮像装置。
【請求項３】
前記表示制御手段は、前記複数の記憶領域のうち前記使用状況を示す情報が表示される記憶領域を、記憶領域の使用量、記憶領域の使用率、又は、記憶領域に一時記憶している画像データの数に応じて変更することを特徴とする請求項１または２に記載の撮像装置。
【請求項４】
前記表示制御手段は、前記表示部に表示される前記使用状況を示す情報が、前記複数の記憶領域のうちのいずれの記憶領域の使用状況であるかを識別可能に表示することを特徴とする請求項１ないし３のいずれか１項に記載の撮像装置。
【請求項５】
前記表示制御手段は、前記複数の記憶領域のうち前記使用状況を示す情報が表示される記憶領域について、当該記憶領域に一時記憶される画像データが記録される記録媒体に関する情報を、前記使用状況を示す情報と共に表示するように制御することを特徴とする請求項４に記載の撮像装置。
【請求項６】
前記表示制御手段は、前記複数の記憶領域のうちのいずれかの記憶領域の使用状況が所定の状況となった場合に、使用状況が所定の状況となった記憶領域の使用状況を表示するように制御し、前記複数の記憶領域のいずれもが前記所定の状況となっていない場合は、記憶領域の使用状況を表示しないように制御することを特徴とする請求項１ないし５のいずれか１項に記載の撮像装置。
【請求項７】
前記表示制御手段は、前記複数の記憶領域のうちのいずれかの記憶領域において、記憶領域の使用量、記憶領域の使用率、又は、記憶領域に一時記憶している画像データの数が閾値を超えた場合に、前記閾値を超えた記憶領域の使用状況を表示するように制御し、前記複数の記憶領域のいずれもが前記閾値を超えていない場合は、記憶領域の使用状況を表示しないように制御することを特徴とする請求項６に記載の撮像装置。
【請求項８】
記録媒体に記録する画像データの画質を設定する設定手段をすることを特徴とする請求項１ないし７のいずれか１項に記載の撮像装置。
【請求項９】
前記閾値は、前記設定手段により設定された画質に応じた値であることを特徴とする請求項８に記載の撮像装置。
【請求項１０】
前記設定手段は、画像データの画質として、ＲＡＷ画像データと、現像画像データを設定可能であり、
記録媒体にＲＡＷ画像データを記録する場合は、第１の値が前記閾値として設定され、記録媒体にＲＡＷ画像データを記録せずに現像画像データを記録する場合には、前記第１の値よりも小さい第２の値が前記閾値として設定される、
ことを特徴とする請求項９に記載の撮像装置。
【請求項１１】
前記複数の記憶領域のうちのいずれかの記憶領域に新たな画像データの一時記憶が不可となった場合に、前記記憶手段は、前記複数の記憶領域への新たな画像データの一時記憶を停止し、前記記録制御手段は、前記一時記憶を停止するまでに前記複数の記憶領域に一時記憶した画像データを前記複数の記録媒体に記録するように制御し、前記表示制御手段は、前記複数の記憶領域のうちの新たな画像データの一時記憶が不可となった記憶領域に対応する記録媒体に関する情報を表示するように制御することを特徴とする請求項１ないし１０のいずれか１項に記載の撮像装置。
【請求項１２】
前記複数の記録媒体に、それぞれ異なる画質の画像データを記録可能であり、
前記複数の記憶領域は、対応する記録媒体に記録すべき画質の画像データを一時記憶することを特徴とする請求項１に記載の撮像装置。
【請求項１３】
前記表示制御手段は、前記複数の記憶領域のうち前記使用状況を示す情報が表示される記憶領域について、当該記憶領域に対応する記録媒体に記録される画像データの画質に関する情報を、前記使用状況を示す情報と共に表示するように制御することにより、前記使用状況を示す情報が、前記複数の記憶領域のうちのいずれの記憶領域の使用状況であるかを識別可能にすることを特徴とする請求項１２に記載の撮像装置。
【請求項１４】
前記複数の記憶領域のうちのいずれかの記憶領域に新たな画像データの一時記憶が不可となった場合に、前記記憶手段は、前記複数の記憶領域への新たな画像データの一時記憶を停止し、前記記録制御手段は、前記一時記憶を停止するまでに前記複数の記憶領域に一時記憶した画像データを前記複数の記録媒体に記録するように制御し、前記表示制御手段は、前記複数の記憶領域のうちの新たな画像データの一時記憶が不可となった記憶領域に対応する画像データの画質に関する情報を表示するように制御することを特徴とする請求項１３に記載の撮像装置。
【請求項１５】
前記表示制御手段は、前記撮像部により取得した画像データと共に、前記記憶領域の使用状況を示す情報を前記表示部に表示するように制御することを特徴とする請求項１ないし１４のいずれか１項に記載の撮像装置。
【請求項１６】
前記画像データは、動画撮影または静止画連写撮影により得られた連続画像データであることを特徴とする請求項１ないし１４のいずれか１項に記載の撮像装置。
【請求項１７】
前記複数の記憶領域は、同一のメモリに設けられた記憶領域であることを特徴とする請求項１ないし１５のいずれか１項に記載の撮像装置。
【請求項１８】
前記複数の記憶領域は、異なるメモリに設けられた記憶領域であることを特徴とする請求項１ないし１５のいずれか１項に記載の撮像装置。
【請求項１９】
撮像部により撮影して得られた画像データを複数の記録媒体に記録する場合に、前記撮像部により撮影して得られた画像データを、前記複数の記録媒体に対応する複数の記憶領域にそれぞれ一時記憶する記憶工程と、
前記複数の記憶領域に蓄積された画像データを、前記複数の記憶領域にそれぞれ対応する前記複数の記録媒体に記録するように制御する記録制御工程と、
記憶領域の使用状況を示す情報を表示部に表示するように制御する表示制御工程と、
を有し、
前記表示制御工程では、前記複数の記憶領域のうちの１つの記憶領域についてのみ、前記使用状況を示す情報を表示するように制御することを特徴とする表示制御方法。
【請求項２０】
コンピュータを、請求項１ないし１８のいずれか１項に記載の撮像装置の各手段として機能させることを特徴とするプログラム。
【発明の詳細な説明】
【技術分野】
【０００１】
本発明は、記憶領域の使用状況を表示可能な撮像装置、表示制御方法に関する。
【背景技術】
【０００２】
一般的にデジタルカメラには静止画撮影に加えて動画撮影の機能が搭載されている。動画撮影は撮像素子により記録された動画像データを一時的な記憶領域に保存し、メモリカードやハードディスク等の記録媒体へと書き込みを行うが、近年、動画撮影の記録画質が向上していることもあり、一時的な記憶領域が動画像データでいっぱいになり、動画撮影がユーザの意図しないタイミングで緊急停止するなど、円滑な動画撮影の妨げとなる動作をすることがある。これに対して、特許文献１では、一時的な記憶領域の使用量をユーザに通知することで、一時的な記憶領域が動画像データでいっぱいになり、緊急停止するまでの進捗をユーザに通知する方法が提案されている。
【先行技術文献】
【特許文献】
【０００３】
【特許文献１】特願２００５−１４８５５７号公報
【発明の概要】
【発明が解決しようとする課題】
【０００４】
特許文献１において提案された従来技術では、単一の記録媒体に対して、一時的な記憶領域の使用量をユーザに通知する方法には言及されている。しかし、複数の記録媒体へ画像データを同時に書き込む場合に、一時的な記憶領域の使用量をユーザに通知する方法については言及されていない。
【０００５】
複数の記録媒体へ画像データを書き込むような場合に、複数の一時的な記憶領域の使用量を表示すると、画像データの表示の妨げになってしまうという課題がある。
【０００６】
さらに、一時的な記憶領域の使用量を複数通知された場合に、ユーザは、それぞれの使用量を比較しながら、時的な記憶領域の使用量がフルの状態となり撮影が緊急停止するまでの進捗を把握しなければならないという課題もある。
【０００７】
上記実情に鑑み、本発明の目的は、複数の記録媒体に画像データを記録する場合に、複数の記録媒体にそれぞれ対応する複数の記憶領域の使用状況を、ユーザが簡単に把握可能となるように表示することである。
【課題を解決するための手段】
【０００８】
上記目的を達成するために、本発明の撮像装置は、
撮像部により撮影して得られた画像データを複数の記録媒体に記録する場合に、撮像部により撮影して得られた画像データを、複数の記録媒体に対応する複数の記憶領域にそれぞれ一時記憶する記憶手段と、記憶領域に一時記憶された画像データを、複数の記録媒体のうち、記憶領域に対応する記録媒体に記録するように制御する記録制御手段と、記憶領域の使用状況を示す情報を表示部に表示するように制御する表示制御手段と、を有し、表示制御手段は、複数の記憶領域のうちの１つの記憶領域についてのみ、使用状況を示す情報を表示するように制御することを特徴とする。
【発明の効果】
【０００９】
本発明によれば、複数の記録媒体に画像データを記録する場合に、複数の記録媒体にそれぞれ対応する複数の記憶領域の使用状況を、ユーザが簡単に把握可能となるように表示することができる。
【図面の簡単な説明】
【００１０】
【図１】デジタルカメラ１００の外観図である。
【図２】デジタルカメラ１００の構成を示すブロック図である。
【図３】デジタルカメラ１００におけるメイン処理のフローチャートを示す図である。
【図４】デジタルカメラ１００における単一記録のフローチャートを示す図である。
【図５】デジタルカメラ１００における同時記録のフローチャートを示す図である。
【図６】本実施形態におけるデジタルカメラ１００の動画撮影画面を示す図である。
【図７】本実施形態におけるデジタルカメラ１００の動画停止画面を示す図である。
【図８】本実施形態におけるデジタルカメラ１００の静止画撮影画面を示す図である。
【発明を実施するための形態】
【００１１】
以下、図面を参照して本発明の好適な実施形態を説明する。
【００１２】
図１（ａ）、（ｂ）に本発明を適用可能な撮像装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は該部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納したスロットの蓋であり、本実施形態のデジタルカメラ１００においては、記録媒体２００を複数格納することも可能であるため、複数のスロットを有している。本実施形態のデジタルカメラ１００は、メモリカード１用のスロット１と、メモリカード２用のスロット２の２つのスロットを有し、２つの記録媒体２００（１）、（２）を収納する可能であるが、２つではなく、３つ以上の記録媒体を収納可能な構成としてもよい。グリップ部９０は、ユーザがデジタルカメラ１００を構えた際に右手で握りやすい形状とした保持部である。
【００１３】
図２は、本実施形態によるデジタルカメラ１００の構成例を示すブロック図である。図２において、レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
焦点検出部１１は、システム制御部５０にデフォーカス量情報を出力する。システム制御部５０はそれに基づいてレンズユニット１５０を制御し、位相差ＡＦを行う。
【００１６】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するための記憶容量を備えている。なお、メモリ３２は、記録媒体２００（１）用のバッファ（カード１用のバッファ）と、記録媒体２００（２）用のバッファ（カード２用のバッファ）としても使用される。カード１用のバッファと、カード２用のバッファは、同じサイズの記憶領域である。本実施形態では、同一のメモリ３２内の異なる領域をカード１用のバッファと、カード２用のバッファとして使用するが、異なる２つのメモリを、それぞれカード１用のバッファと、カード２用のバッファとして用いてもよい。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示（ＬＶ表示））を行える。以下、ライブビューで表示される画像をＬＶ画像と称する。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外液晶表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、各種設定、プログラム等が記憶される。ここでいう、プログラムとは、本実施形態にて後述する各種フローチャートを実行するためのプログラムのことである。
【００２６】
システム制御部５０は、少なくとも１つのプロセッサーまたは回路からなる制御部であり、デジタルカメラ１００全体を制御する。前述した不揮発性メモリ５６に記録されたプログラムを実行することで、後述する本実施形態の各処理、図３，４，５のフローチャートの処理を実現する。システムメモリ５２には、例えばＲＡＭが用いられ、システム制御部５０の動作用の定数、変数、不揮発性メモリ５６から読み出したプログラム等が展開される。また、システム制御部５０はメモリ３２、Ｄ／Ａ変換器１９、表示部２８等を制御することにより表示制御も行う。システム制御部５０は、画像処理部２４、メモリ３２、メモリ制御部１５、記録媒体Ｉ／Ｆ１８等を制御することにより、画像データの生成の制御や、メモリ３２（バッファ）への画像データの蓄積（一時記憶）の制御、記録媒体２００への画像データの記録制御も行う。
【００２７】
システムタイマー５３は各種制御に用いる時間や、内蔵された時計の時間を計測する計時部である。
【００２８】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、がある。また、撮影シーン別の撮影設定となる各種シーンモード、カスタムモード等がある。モード切替スイッチ６０より、ユーザは、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３２】
操作部７０は、ユーザからの操作を受け付ける入力部としての各種操作部材である。操作部７０には、押しボタン、回転ダイヤル、タッチセンサなどが含まれ、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３４】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。本実施形態において、記録媒体２００はメモリカードであり、本実施形態のデジタルカメラ１００では、記録媒体２００（１）及び記録媒体２００（２）がデジタルカメラ１００に対して着脱可能に接続される。２つ以上の記録媒体と接続可能な構成としてもよい。そして、デジタルカメラ１００は、記録媒体２００（１）及び記録媒体２００（２）のうち、一方の記録媒体のみに撮影した画像データを記録する単一記録モードと、両方の記録媒体に同時に画像データを記録する同時記録モードを有している。そして、この単一記録モードと同時記録モードとは、メニュー設定等のユーザ操作により切り替え可能である。以下において、記録媒体２００（１）をカード１、記録媒体２００（２）をカード２として説明する。また、記録媒体２００（１）と記録媒体２００（２）とは、同じ種類のメモリカードでもよいし、異なる種類のメモリカードとしてもよい。通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（ＬＶ画像を含む）や、記録媒体２００に記録された画像を送信可能であり、また、外部機器から画像やその他の各種情報を受信することができる。
【００３５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である、加速度センサーやジャイロセンサーを用いて、デジタルカメラ１００の動き（パン、チルト、持ち上げ、静止しているか否か等）を検知することも可能である。
【００３６】
なお操作部７０の一つとして、表示部２８に対する接触を検知可能なタッチパネル７０ａを有する。タッチパネル７０ａと表示部２８とは一体的に構成することができる。例えば、タッチパネル７０ａは光の透過率が表示部２８の表示を妨げないように構成され、表示部２８の表示面の上層に取り付けられる。そして、タッチパネル７０ａにおける入力座標と、表示部２８の表示画面上の表示座標とを対応付ける。これにより、恰もユーザが表示部２８上に表示された画面を直接的に操作可能であるかのようなＧＵＩ（グラフィカルユーザインターフェース）を提供できる。システム制御部５０はタッチパネル７０ａへの以下の操作、あるいは状態を検出できる。
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００３７】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３８】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのような操作（タッチ操作）が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。
【００３９】
更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００４０】
タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式のものがあるが、いずれの方式でもよい。
【００４１】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００４２】
図３は、本実施形態のデジタルカメラ１００において、動画記録モードで電源を起動した後の、メイン処理のフローチャートである。各処理は電源スイッチ７２を電源オン時にシステム制御部５０が不揮発性メモリ５６に格納されたプログラムをシステムメモリ５２に展開して実行することにより実現される。
【００４３】
Ｓ３０１において、システム制御部５０は、ユーザにより操作部７０が操作され、同時記録設定指示が行われたかを判定する。同時記録設定指示が行われた場合はＳ３０２へ進み、行われなかった場合はＳ３０８へ進む。
【００４４】
Ｓ３０２において、システム制御部５０は、同時記録設定を不揮発性メモリ５６に記憶する。
【００４５】
Ｓ３０３において、システム制御部５０は、カード１とカード２の両方に画像データを同時に記録する同時記録設定（同時記録モード）が設定されたため、記録先設定をカード１かつカード２に設定し、不揮発性メモリ５６に記憶する。
【００４６】
Ｓ３０４において、システム制御部５０は、カード１へ記録する動画の記録画質設定指示が行われたかを判定する。カード１へ記録する動画の記録画質設定指示が行われた場合はＳ３０５へ進み、行われなかった場合はＳ３０６へ進む。
【００４７】
Ｓ３０５において、システム制御部５０は、カード１へ記録する動画の記録画質設定を不揮発性メモリ５６に記憶する。
【００４８】
Ｓ３０６において、システム制御部５０は、カード２へ記録する動画の記録画質設定指示が行われたかを判定する。カード２へ記録する動画の記録画質設定指示が行われた場合はＳ３０７へ進み、行われなかった場合はＳ３１４へ進む。
【００４９】
Ｓ３０７において、システム制御部５０は、カード２へ記録する動画の記録画質設定を不揮発性メモリ５６に記憶する。
【００５０】
このように、同時記録設定の場合は、カード１とカード２とで、それぞれ記録する画像データの画質を設定することができ、カード毎に異なる画質の画像データを記録することができる。例えば、カード１には、現像処理を行っていない高画質のＲＡＷ画像データをＲＡＷファイルとして記録するように設定し、カード２には、現像処理を施してＨ．２６５（ＨＥＶＣ）形式で圧縮した現像画像データをＭＰ４ファイルとして記録するように設定することができる。
【００５１】
Ｓ３０８において、システム制御部５０は、単一記録設定を不揮発性メモリ５６に記憶する。
【００５２】
カード１とカード２のうちの一方のカードにのみ画像データを記録する単一記録設定（単一記録モード）が設定されると、記録先としてカード１とカード２のいずれかを設定する必要がある。そこで、Ｓ３０９において、システム制御部５０は、記録先設定をカード１へと設定する指示が行われたかを判定する。記録先設定をカード１へと設定する指示が行われた場合はＳ３１０へ進み、行われなかった場合はＳ３１１へ進む。
【００５３】
Ｓ３１０において、システム制御部５０は、記録先設定をカード１に設定し、不揮発性メモリ５６に記憶する。
【００５４】
Ｓ３１１において、システム制御部５０は、記録先設定をカード２に設定し、不揮発性メモリ５６に記憶する。
【００５５】
Ｓ３１２において、システム制御部５０は、動画記録画質設定指示が行われたかを判定する。動画記録画質設定指示が行われた場合はＳ３１３へ進み、行われなかった場合はＳ３１４へ進む。
【００５６】
尚、この時、動画記録画質設定指示は記録先がカード１なのかカード２なのかを意識せず、動画開始時に記録先設定がカード１ならカード１に設定した動画記録画質で記録し、記録先設定がカード２ならカード２に設定した動画記録画質で記録するようにするとよい。
【００５７】
Ｓ３１３において、システム制御部５０は、動画記録画質設定を不揮発性メモリ５６に記憶する。
【００５８】
Ｓ３１４において、システム制御部５０は、ＬＶボタン７６が押下され、動画記録開始指示が行われたかを判定する。動画記録開始指示が行われた場合はＳ３１５へ進み、行われなかった場合はＳ３１８へ進む。
【００５９】
Ｓ３１５において、システム制御部５０は、不揮発性メモリ５６に同時記録設定が記憶されているかを判定する。同時記録設定が記憶されている場合はＳ３１７へ進み、行われなかった場合はＳ３１６へ進む。
【００６０】
Ｓ３１６においては、単一記録モードが設定されている状態で動画記録開始指示が行われたため、システム制御部５０は、図４で説明する単一記録処理を実行する。
【００６１】
Ｓ３１７においては、同時記録モードが設定されている状態で動画記録開始指示が行われたため、システム制御部５０は、図５で説明する同時記録処理を実行する。
【００６２】
Ｓ３１８において、システム制御部５０は、電源スイッチ７２を電源オフされたかを判定する。電源スイッチ７２を電源オフされたと判定された場合はメイン処理を終了し、電源オフされていない場合はＳ３０１へ進む。
【００６３】
このように、本実施形態においては、２つのメモリカードのうちの一方に画像データを記録する単一記録モードと、２つのメモリカードの両方に同時に画像データを記録する同時記録モードを設定することができる。さらに、メモリカードに記録する画像データの画質を設定することができ、同時記録モードの場合は、メモリカード毎に異なる画質を設定することができる。なお、本実施形態においては、動画記録画質として、現像処理を施していないＲＡＷ動画をＲＡＷファイルとして記録するか、現像処理を施してＨ．２６５（ＨＥＶＣ）形式で圧縮したＭＰ４動画をＭＰ４ファイルとして記録するかを設定可能とする。
【００６４】
以下、図４を参照してＳ３１６の単一記録処理について動作手順を説明する。図４は本実施形態において、カード１、もしくはカード２への動画撮影を開始して、完了するまでの一例を示すフローチャートである。これらの処理は、システム制御部５０が不揮発性メモリ５６に格納されたプログラムをシステムメモリ５２に展開して実行することにより実現される。
【００６５】
Ｓ４０１において、システム制御部５０は、不揮発性メモリ５６に記憶された記録先設定を取得する。
【００６６】
Ｓ４０２において、システム制御部５０は、不揮発性メモリ５６に記憶された動画記録画質設定を取得する。
【００６７】
Ｓ４０３において、システム制御部５０は、撮像部２２からの信号読み出し開始などの動画記録開始処理を行う。
【００６８】
Ｓ４０４において、システム制御部５０は、記録先設定にカード１が設定されているかどうかを判定する。記録先設定にカード１が設定されている場合はＳ４０５へ進み、設定されていない場合はＳ４０７へ進む。
【００６９】
Ｓ４０５において、システム制御部５０は、撮影した動画像データをカード１用のバッファに保存する。
【００７０】
尚、この時、動画像データは設定されている動画記録画質に応じてデータ量が変化することを特徴とする。
【００７１】
Ｓ４０６において、システム制御部５０は、カード１用のバッファからカード１に書き込む。
【００７２】
尚、この時、カード１用バッファからカード１に書き込む動画像データ量は、カード１の書き込み速度に応じて変化することを特徴とする。
【００７３】
Ｓ４０７において、システム制御部５０は、撮影した動画像データをカード２用のバッファに保存する。
【００７４】
尚、この時、動画像データは設定されている動画記録画質に応じてデータ量が変化することを特徴とする。
【００７５】
Ｓ４０８において、システム制御部５０は、カード２用のバッファからカード２に書き込む。
【００７６】
尚、この時、バッファからカードに書き込む動画像データ量は、カード２の書き込み速度に応じて変化することを特徴とする。
【００７７】
Ｓ４０９において、システム制御部５０は、動画記録画質がＲＡＷ動画かどうかを判定する。動画記録画質がＲＡＷ動画の場合はＳ４１０へ進み、動画記録画質がＲＡＷ動画でない場合はＳ４１１へ進む。
【００７８】
Ｓ４１０において、システム制御部５０は、バッファ使用状況表示の閾値を７５％に設定し、不揮発性メモリ５６に記憶する。
【００７９】
Ｓ４１１において、システム制御部５０は、バッファ使用状況表示の閾値を５０％に設定し、不揮発性メモリ５６に記憶する。
【００８０】
Ｓ４１２において、システム制御部５０は、バッファに溜まっているデータの使用量がバッファ使用状況表示の閾値以上かどうかを判定する。バッファに溜まっているデータの使用量がバッファ使用状況表示の閾値以上の場合はＳ４１３へ進み、閾値より少ない場合はＳ４１４へ進む。
【００８１】
Ｓ４１３において、システム制御部５０は、記録先のバッファ使用状況を表示部２８に表示する。
【００８２】
尚、この時、バッファの使用状況を表現する方法は特に限定されない。
【００８３】
また本実施形態において図６（ａ）の６０１は表示部２８に表示されるバッファ使用状況を進捗ゲージという形で表現した一例である。
【００８４】
Ｓ４１４において、システム制御部５０は、ＬＶボタン７６が押下され、動画記録停止指示が行われたかを判定する。動画記録停止指示が行われた場合はＳ４１７へ進み、行われていない場合はＳ４１５へ進む。
【００８５】
Ｓ４１５において、システム制御部５０は、バッファの使用状況がフルに到達したかを判定する。バッファの使用状況がフルに到達した場合はＳ４１６へ進み、フルに到達していない場合はＳ４０４へ進む。
【００８６】
Ｓ４１６において、システム制御部５０は、表示部２８にバッファの使用状況がフルに到達したことによる動画記録停止通知を表示する。
【００８７】
また本実施形態において７０１は、表示部２８に表示されるバッファの使用状況がフルに到達したことによる動画記録停止通知の一例である。
【００８８】
Ｓ４１７において、システム制御部５０は、撮像部２２からの信号読み出し中止などの動画記録停止処理を行う。
【００８９】
尚、本フローの中でモードダイヤルなどを回されるなどの異常系操作が行われた場合、途中でフローが中断されることもあるとする。
【００９０】
また本フローは動画撮影を例に挙げているが、静止画の連写撮影においても本内容は適用可能であるとする。
【００９１】
以下、図５を参照してＳ３１７の同時記録処理について動作手順を説明する。図５は本実施形態において、カード１とカード２への動画撮影を開始して完了するまでの一例を示すフローチャートである。これらの処理は、システム制御部５０が不揮発性メモリ５６に格納されたプログラムをシステムメモリ５２に展開して実行することにより実現される。
【００９２】
Ｓ５０１において、システム制御部５０は、不揮発性メモリ５６に記憶されたカード１の動画記録画質設定を取得する。
【００９３】
Ｓ５０３において、システム制御部５０は、不揮発性メモリ５６に記憶されたカード２の動画記録画質設定を取得する。
【００９４】
Ｓ５０１において、システム制御部５０は、撮像部２２からの信号読み出し開始などの動画記録開始処理を行う。
【００９５】
Ｓ５０４において、システム制御部５０は、撮像部２２により撮影した動画像データをカード１用とカード２用のバッファに一時保存する。このとき、システム制御部５０は、撮像部２２により撮影した動画像データに対して、Ｓ５０１で取得したカード１の動画記録画質設定に応じて画像処理部２４により処理を施してカード１用の動画像データを生成し、カード１用のバッファに蓄積し一時記憶する。そして、撮像部２２により撮影した同じ動画像データに対して、Ｓ５０２で取得したカード２の動画記録画質設定に応じて画像処理部２４により処理を施してカード２用の動画像データを生成し、カード２用のバッファに蓄積し一時記憶する。そのため、それぞれのバッファに一時保存された動画像データは、設定されている動画記録画質に応じてデータ量が異なる。
【００９６】
Ｓ５０５において、システム制御部５０は、カード１用のバッファに一時保存されている動画像データをカード１に書き込み、カード２用のバッファに一時保存されている動画像データをカード２に書き込む。尚、この時、バッファからカードに書き込む動画像データ量は、カード１とカード２の書き込み速度に応じて異なる。
【００９７】
Ｓ５０６において、システム制御部５０は、カード１の動画記録画質、もしくはカード２の動画記録画質がＲＡＷ動画かどうかを判定する。カード１の動画記録画質、もしくはカード２の動画記録画質がＲＡＷ動画の場合はＳ５０７へ進み、カード１およびカード２の何れの動画記録画質もＲＡＷ動画でない場合はＳ５０８へ進む。
【００９８】
Ｓ５０７において、システム制御部５０は、バッファ使用状況表示の閾値を７５％に設定し、不揮発性メモリ５６に記憶する。
【００９９】
Ｓ５０８において、システム制御部５０は、バッファ使用状況表示の閾値を５０％に設定し、不揮発性メモリ５６に記憶する。
【０１００】
本実施形態においては、設定された動画記録画質に応じて閾値を設定するものとしたが、動画記録画質に依らず閾値を設定するとしてもよい。なお、ＲＡＷ動画の場合は、ＲＡＷ動画でない場合よりも大きな値が閾値として設定される。つまり、ＲＡＷ動画の場合は、ＲＡＷ動画でない場合よりも、バッファの使用量が大きくならないと、バッファ使用状況は表示されない。
【０１０１】
Ｓ５０９において、システム制御部５０は、カード１用およびカード２用のバッファの使用状況が閾値以上となったかを判定する。具体的には、カード１用バッファ、カード２用のバッファのそれぞれのバッファ使用量が、Ｓ５０７またはＳ５０８で設定し不揮発性メモリ５６に記憶したバッファ使用状況表示の閾値以上かどうかを判定する。カード１用のバッファ、カード２用のバッファのうち、少なくともいずれか一方のバッファの使用量が、バッファ使用状況表示の閾値以上の場合はＳ５１１へ進む。そして、カード１用のバッファの使用量と、カード２用のバッファの使用量のいずれも閾値より少ない場合はＳ５１６へ進む。本実施形態では、バッファ全体のサイズに対するバッファの使用量、つまり、バッファの使用率が、Ｓ５０７またはＳ５０８で設定し不揮発性メモリ５６に記憶した閾値以上かどうかを判定するものとした。ここで、バッファの使用量とは、バッファに一時記憶している記録媒体に未記録の動画像データのサイズ（データ量）である。しかし、バッファの使用状況として、バッファの使用率ではなく、バッファの使用量や、バッファに蓄積されているカードに未記録の画像フレームの数を用いて判定してもよい。その場合、閾値もそれぞれに対応した値となる。本実施形態においては、カード１用のバッファとカード２用のバッファのサイズは同じであるため、バッファの使用量とバッファの使用率は同等となる。
【０１０２】
Ｓ５１１において、システム制御部５０は、カード１用バッファの使用状況とカード２用バッファの使用状況を比較する。本実施形態では、カード１用バッファの使用量とカード２用バッファの使用量を比較し、カード１用バッファの使用量の方が大きい場合はＳ５１２に進む。そして、カード２用バッファの使用量の方が大きい場合はＳ５１４に進む。バッファの使用量ではなく、使用率、または、バッファに蓄積されているカードに未記録の画像フレームの数を判定し、カード１用バッファの方が大きい場合はＳ５１２、カード２用バッファ方が大きい場合はＳ５１４に進むようにしてもよい。
【０１０３】
カード１用バッファの使用状況の方が大きい場合は、Ｓ５１２において、システム制御部５０は、カード１用バッファの使用状況として、カード１用バッファの使用量を青色で表示部２８に表示する。Ｓ５１３において、システム制御部５０は、表示部２８にカード１のバッファ使用状況が表示されていることを示すガイドを表示する。
【０１０４】
図６（ｂ）は、同時記録モードにおいて、カード１用のバッファのバッファ使用状況を表示する際の表示例である。６０２はカード１用のバッファのバッファ使用状況を示す表示であり、進捗ゲージという形で表示している。６０３は、現在表示しているバッファの使用状況の表示が、カード１用バッファの使用状況であることを示すガイド表示である。なお、図６（ｂ）のように、バッファ使用状況６０２及びガイド表示６０３は、撮影した動画像、つまり、ライブビュー画像と共に表示される。
【０１０５】
カード２用バッファの使用状況の方が大きい場合は、Ｓ５１４において、システム制御部５０は、カード２用バッファの使用状況として、カード２用バッファの使用量を赤色で表示する。
【０１０６】
Ｓ５１５において、システム制御部５０は、表示部２８にカード２用バッファの使用状況が表示されていることを示すガイドを表示する。
【０１０７】
図６（ｃ）は、同時記録モードにおいて、カード２用のバッファのバッファ使用状況を表示する際の表示例である。６０４はカード２用のバッファのバッファ使用状況を進捗ゲージで表示している。６０５は、現在表示しているバッファの使用状況の表示が、カード２用バッファであることを示すガイド表示である。なお、図６（ｃ）のように、バッファ使用状況６０４及びガイド表示６０５は、撮影した動画像、つまり、ライブビュー画像と共に表示される。
【０１０８】
Ｓ５１６において、システム制御部５０は、ＬＶボタン７６が押下され、動画記録停止指示が行われたかを判定する。動画記録停止指示が行われた場合はＳ５２１へ進み、行われていない場合はＳ５１７へ進む。
【０１０９】
Ｓ５１７において、システム制御部５０は、カード１用バッファ、もしくはカード２用バッファの使用状況がフルに到達したか、つまり、バッファに新たな動画像データの記憶が不可となったかを判定する。バッファの使用率が１００％に達したことに応じてフルに到達したと判断せずに、バッファの使用率が９０％に達したことにより、バッファの使用状況がフルになったと判定してもよい。カード１用バッファ、もしくはカード２用バッファの使用状況がフルに到達した場合はＳ５１８へ進み、フルに到達していない場合はＳ５０４へ進む。このように、カード１用バッファ、カード２用バッファのうちのいずれか一方がフルに到達したことに応じて、動画像データの撮影を停止する。撮影の停止処理については、Ｓ５２０で説明する。
【０１１０】
Ｓ５１８において、システム制御部５０は、バッファの使用状況がフルに到達したのがカード１用バッファかどうかを判定する。バッファの使用状況がフルに到達したのがカード１用バッファの場合はＳ５１９へ進み、カード１用バッファでなくカード１用バッファのバッファ使用状況がフルに到達した場合はＳ５２０へ進む。
【０１１１】
Ｓ５１９において、システム制御部５０は、表示部２８にカード１用バッファの使用状況がフルに到達したことによる動画記録停止通知を表示する。図７（ｂ）は、このときの動画記録停止通知の表示例である。７０２では、カード１用のバッファの使用状況がフルに到達したことにより動画記録が停止したことを通知している。
【０１１２】
Ｓ５２０において、システム制御部５０は、表示部２８にカード２用バッファの使用状況がフルに到達したことによる動画記録停止通知を表示する。図７（ｃ）は、このときの動画記録停止通知の表示例である。７０３では、カード２用のバッファのバッファ使用状況がフルに到達したことによって動画記録が停止したことを通知している。
【０１１３】
Ｓ５２１において、システム制御部５０は、動画記録停止処理を行う。動画記録停止処理では、システム制御部５０は、撮像部２２からの信号読み出を停止し、カード１用バッファ、及び、カード２用バッファの両方に対する新たな動画像データの記憶を停止する。そして、これまでにカード１用バッファに一時記憶し、カード１に未記録である動画像データを、カード１に記録し、これまでにカード２用バッファに一時記憶し、カード２に未記録である動画像データを、カード２に記録する。
【０１１４】
尚、本フローの中でモードダイヤルなどを回されるなどの異常系操作が行われた場合、途中でフローが中断されることもあるとする。
【０１１５】
このように、本実施形態においては、カード１用バッファの使用状況と、カード２用バッファの使用状況のうち、１つのバッファの使用状況のみを表示するようにしている。そのため、共に表示される画像を大きく隠すことなくバッファの使用状況を表示することができる。また、バッファの使用状況が大きいバッファの使用状況のみを表示するため、複数のバッファの使用状況を表示しなくても、バッファがフルになり撮影が緊急停止するまでの進捗を把握することができる。
【０１１６】
カード１用バッファのバッファ使用状況と、カード１用バッファのバッファ使用状況を、異なる色で表示することにより、表示されているバッファ使用状況がカード１に対応するバッファの使用状況であると識別可能となる。
【０１１７】
本実施形態では、バッファ使用状況を、バッファの使用量または使用率を示す進捗ゲージで表示したが、他の表示形態で表示してもよい。
【０１１８】
本実施形態では、バッファに対応するカードを示す情報を表示しているが、カードによって記録画質が異なる場合は、記録画質を示す情報を表示するようにしてもよい。また、カード１とカード２とでカードの種類が異なる場合は、カードの種類を表示するようにしてもよい。
【０１１９】
本実施形態では、２つのメモリカードに同時記録する場合について説明したが、３つ以上のメモリカードに同時記録する場合にも本発明は適応可能である。この場合、使用量、使用率、または、バッファに蓄積されている画像フレームの数が一番大きいバッファを判定し、使用状況が一番大きいバッファの使用状況を表示するようにするとよい。本実施形態では、動画像データを同時記録する場合について説明した。しかし、動画像データを複数のメモリカードに同時記録する場合だけでなく、静止画連写撮影により得られた連写画像データを記録する際にも本発明は適応可能である。つまり、動画像撮影や、静止画連写撮影により複数の画像データを連続画像データとして取得して複数の記録媒体に記録する場合に、本発明を実施してもよい。
【０１２０】
動画撮影の場合は、バッファの使用状況として、バッファの使用量または使用率を表示し、静止画連写撮影の場合には、図８のようにバッファに一時記憶されておりカードに未記録の画像データの数を表示するようにしてもよい。図８（ａ）の８０１は静止画撮影の際に、表示部２８に表示されるバッファ使用状況を残りの連写可能枚数という形で表現した一例である。図８（ｂ）は、静止画連写撮影の複数のメモリカードへの同時記録の際のバッファ使用状況の表示例であり、カード１用バッファの使用率の方が大きく、カード１用バッファの使用状況８０２を残りの連写可能枚数として表示している。また、カード１用バッファの使用状況を表示していることを示すガイド８０３も表示している。図８（ｂ）は、静止画連写撮影の複数のメモリカードへの同時記録の際のバッファ使用状況の表示例であり、カード２用バッファの使用率の方が大きく、カード２用バッファの使用状況８０４を残りの連写可能枚数として表示している。また、カード２用バッファの使用状況を表示していることを示すガイド８０５も表示している。
【０１２１】
なお、図１０のフローチャートによると、バッファの使用状況の表示処理は、動画撮影を停止するまで行われる。そのため、カード１用バッファの使用状況とカード２用バッファの使用状況が変化し、使用状況が大きいバッファが変化すると、システム制御部５０は、表示部に表示するバッファの使用状況も変更する。すなわち、カード１用バッファとカード２用バッファのうち、その時点で使用状況が大きいバッファの使用状況を表示するように変更する。
【０１２２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１２３】
１００  デジタルカメラ
２２  撮像部
２３  Ａ／Ｄ変換機
２４  画像処理部
２８  表示部
５０  システム制御部
５２  システムメモリ
６１  シャッターボタン
７０  操作部
２００  記録媒体
７６  ＬＶボタン
９２  スピーカー
７２  電源スイッチ
【図１】
2020182185.tif 000003
【図２】
2020182185.tif 000004
【図３】
2020182185.tif 000005
【図４】
2020182185.tif 000006
【図５】
2020182185.tif 000007
【図６】
2020182185.tif 000008
【図７】
2020182185.tif 000009
【図８】
2020182185.tif 000010